(57)【要約】      （修正有）【課題】釣り人が、代用道糸を利用して川底や遠方に根かかりした釣り具を、安全に手元に回収できる釣り具根かかり取り器具を提供する。【解決手段】根かかり取り器具は、代用道糸１と根かかり取り合い部材２と道糸挿入筒３と保持部４とおもりを兼ねたガイド５が連係して、釣り人が道糸挿入筒３に道糸０１を挿入し、釣り竿を上方に立てると、道糸０１に沿って道糸０１と強い道糸０２の継ぎ目を通過し、道糸０１を代用する代用道糸１を引き寄せると継ぎ目の先の強い道糸０２を保持部４が保持連結し、友鮎・ルアー・フライ・釣り具等の先に決めた所定の位置で切れるか、または、根かかりが外れて回収が出来、また、釣り具等が回収不可能時には、継ぎ目の先の強い道糸０２を保持する保持部４をカッターにして、強い道糸０２を保持部４で保持して切断する事で道糸０１を回収することが出来る。【選択図】図１
2018161128.tif 000002
【特許請求の範囲】
【請求項１】
代用道糸と、根かかり取り合い部と、道糸挿入筒と、保持部を備えた根かかり取り器具であって、
道糸を代用する前記代用道糸は、前記根かかり取り合い部と連結し、
前記根かかり取り合い部は、前記道糸挿入筒の前部を前記代用道糸方向に引き寄せる事が出来、
前記道糸挿入筒は、道糸を容易に筒内に挿入でき、
前記道糸挿入筒内に、前記保持部を備え、
前記代用道糸は、前記道糸と前記強い道糸よりも引張強度が強く、
前記強い道糸は、前記道糸よりも引張強度が強く、
釣り人が、前記道糸挿入筒内に前記道糸を挿入し、竿先を上方に立てると前記道糸に沿って前記道糸と強い道糸の継ぎ目を通過し、
前記代用道糸を引き寄せると前記保持部が前記継ぎ目の先の前記強い道糸を保持連結し、
先に決めた所定の位置で切れるか、または、根かかりが外れて回収できることを特徴とした根かかり取り器具。
【請求項２】
前記保持部には、カッターが備えられ、前記強い糸を前記カッターで保持して切って道糸を回収できる事を特徴とした請求項１に記載の根かかり取り器具。
【請求項３】
前記道糸挿入筒内に、ガイドを備え容易に前記道糸を挿入でき、道糸挿入筒の重心が前方向にあることを特徴とした請求項１に記載の根かかり取り器具。
【発明の詳細な説明】
【技術分野】
【０００１】本発明は、根かかり取り器具に関し、釣り人が、道糸を代用する代用道糸で、水中や遠方に根かかりをした道糸に、代用道糸と連結する道糸挿入筒内に道糸を挿入し、竿先を上方に立てると道糸に沿って道糸と強い道糸の継ぎ目を通過し、代用道糸を引き寄せて、継ぎ目の先の強い道糸を保持連結し、ルアー・フライ・友鮎・釣り具他等の先に決めた所定の位置で切れるか、また、根かかりが外れて回収出来きる根かかり取り器具、または、釣り具等が回収不可能時には、保持部をカッターにし、継ぎ目の先の強い道糸を、カッターで保持して切って道糸を回収できる根かかり取り器具に関する。
【背景技術】
【０００２】近年、釣り具でルアーによる釣りが盛んで、遠投釣りなので、遠くに根かかりが多く回収が難しい事や、鮎友釣りにおいても水深の位置に根かかりし、また一般の釣りにおいても根かかりして回収が難しい、例えば遠い事や背が立たない湖・川・海で、釣り人が、道糸を代用する代用道糸と連結した道糸挿入筒に道糸を挿入し、竿先を上方に立てると、道糸に沿って道糸と強い道糸の継ぎ目を通過し、代用道糸を引き寄せ、保持部が継継ぎ目の先の強い道糸を保持連結し、代用道糸を引き寄せ、ルアー・フライ・友鮎・釣り具他等の先に決めた所定の位置で切れるか、または、根かかりが外れて回収出来、または、釣り具等が回収不可能時には、保持部をカッターにし、継ぎ目の先の強い道糸を、カッターで保持して切ることで道糸を回収器具で使用する。
【先行技術文献】
【特許文献】
【０００３】
【非特許文献１】「釣り具ダイワ総合カタログ２０１８」６０ＹＥＲＳ  Ｐ・２９５ルアーカッチャー
【非特許文献２】「釣り具ダイワ総合カタログ２０１８」６０ＹＥＲＳ  Ｐ・３２６根かかりはずしＡＮ−１１１０ＲＯ
【発明の概要】
【発明が解決しようとする課題】
【０００４】  （１）
しかしながら、非許文献１のダイワロッドルアーキャッチャーは、備えられたガイド部に道糸を挿入し、道糸に沿ってルアーの根かかりしたルアーにたどり着ついて、ルアーに備えた釣り針を、ルアーキャッチャーが、備えられた鎖で、巻き付けて回収するルアー器具回収機で思うように出来る事は難しく、また鎖が根かかりする恐れもある。
（２）
しかしながら、非許文献２の鮎根かかりはずしＡＮ−１１１０ＲＯは、釣り人が、友鮎が根かかりした場所に行ければ回収は可能であるが、水深の所や遠く対岸近い根かかりした時は、回収は難しい。【０００５】本発明は、道糸を代用する代用道糸で水深や遠くにルアー・フライ・友鮎・釣り具他等が根かかりしても、道糸を道糸挿入筒内に安易に挿入でき、道糸挿入筒に備えた保持部で、釣り人が、竿先を上方に立てると道糸に沿って道糸と強い道糸の継ぎ目を通過し、代用道糸を引き寄せると、継ぎ目の先の強い道糸を保持連結し、先に決めた所定の位置で切れるか、根かかりが外れて回収出来、または、釣り具等が回収不可能時には、保持部をカッターにし、継ぎ目の先の強い道糸を、カッターで保持して切ることで道糸を回収出来る事を提供できる。
【課題を解決するための手段】
【０００６】  （１）
代用道糸と、根かかり取り合い部と、道糸挿入筒と、保持部を備えた根かかり取り器具であって、
道糸を代用する前記代用道糸は、前記根かかり取り合い部と連結し、
前記根かかり取り合い部は、前記道糸挿入筒の前部を前記代用道糸方向に引き寄せる事が出来、
前記道糸挿入筒は、道糸を容易に筒内に挿入でき、
前記道糸挿入筒内に、前記保持部を備え、
前記代用道糸は、前記道糸と前記強い道糸よりも引張強度が強く、
前記強い道糸は、前記道糸よりも引張強度が強く、
釣り人が、前記道糸挿入筒内に前記道糸を挿入し、竿先を上方に立てると前記道糸に沿って前記道糸と強い道糸の継ぎ目を通過し、
前記代用道糸を引き寄せると前記保持部が前記継ぎ目の先の前記強い道糸を保持連結し、
先に決めた所定の位置で切れるか、または、根かかりが外れて回収できることを特徴とした根かかり取り器具。
（２）
前記保持部には、カッターが備えられ、前記強い糸を前記カッターで保持して切って道糸を回収できる事を特徴とした根かかり取り器具。
（３）
前記道糸挿入筒内に、ガイドを備え容易に前記道糸を挿入でき、道糸挿入筒の重心が前方向にあることを特徴とした根かかり取り器具。
【発明の効果】
【０００７】本発明によれば、水深・遠方に根かかりしたルアー・フライ・友鮎・釣り具他等を釣り人が、道糸を代用する代用道糸と連結した道糸挿入筒に道糸を挿入し、竿先を上方に立てると道糸に沿って道糸と強い道糸の継ぎ目を通過し、釣り人が代用道糸を引き寄せると、保持部が継ぎ目の先の強い道糸を保持連結し、ルアー・フライ・友鮎の先に決めた所定の位置で切れるか、または、根かかりが外れて回収出来、また根かかった釣り具が回収不可能時には、保持部カッターにし、強い道糸をカッターで保持し切断して道糸を回収する事が出来る根かかり取り器具。
【図面の簡単な説明】
【０００８】
【図１】  本発明の第１実施形態に係る根かかり取り器具を左から見た斜視図である。
【図２】  本発明の第１実施形態に係る道糸０１強い道糸０２との継ぎ目００を左から見た透視斜視図である。
【図３】  本発明の第１実施形態に係る根かかり取り合い部２左から見た透視斜視図である。
【図４】  本発明の第１実施形態道糸挿入筒３を左から見た斜視図である。
【図５】  本発明の第１実施形態道糸挿入筒３を前から見た図である。
【図６】  本発明の第１実施形態道糸挿入筒３を後から見た図である。
【図７】  本発明の第１実施形態道糸挿入筒３を右から見た図である。
【図８】  本発明の第１実施形態道糸挿入筒３を左から見た図である。
【図９】  本発明の第１実施形態道糸挿入筒３を上から見た図である。
【図１０】  本発明の第１実施形態道糸挿入筒３を下から見た図である。
【図１１】  本発明の第１実施形態道糸挿入筒３をＡ−Ａ線断面図である。
【図１２】  本発明の第２施形態に係る根かかり取り器具を釣り人２００が道糸０１に根かかり取り器具の道糸０１を道糸挿入筒３に挿入させ竿先を上方に立て道糸０１に沿って根かかり部に向かっている状態を示した図である。
【図１３】  本発明の第２施形態に係る根かかり取り器具を釣り人２００が根かかりした友鮎６を代用道糸１で寄せている状態を示した図である。
【図１４】  本発明の第２施形態に係る根かかり取り器具で岩石８に根かかりした友鮎６を代用道糸１で引き寄せている状態を説明する図である。
【図１５】  本発明の第３施形態に係る根かかり取り器具で岩石８に根かかりしたルアー６´を代用道糸１で引き寄せている状態を説明する図である。
【図１６】  本発明の第４施形態に係る根かかり取り器具で岩石８に根かかりした金属ハリス糸０５を代用道糸１で引き寄せている状態を説明する図である。
【図１７】  本発明の第５施形態に係る道糸０１と強い道０２との継ぎ目００を保持部４で保持した状態を左から見た斜視図である。
【図１８】  本発明の第５施形態に係る道糸０１と強い道０２との継ぎ目００を保持部４で保持した状態を左から見た透視斜視図である。
【図１９】  本発明の第５施形態に係る根かかり取り合い部２を左から見た透視斜視図である。
【図２０】  本発明の第５施形態に係る道糸０１と強い道０２との継ぎ目００を保持部４で保持した状態を左から見た斜視図である。
【図２１】  本発明の第５実施形態道糸挿入筒３を上から見た図である。
【図２２】  本発明の第５実施形態道糸挿入筒３を下から見た図である。
【図２３】  本発明の第５実施形態道糸挿入３筒を右から見た図である。
【図２４】  本発明の第５実施形態道糸挿入筒３を左から見た図である。
【図２５】  本発明の第５実施形態道糸挿入筒３を後から見た図である。
【図２６】  本発明の第５実施形態道糸挿入筒３を前から見た図である。
【図２７】  本発明の第５実施形態道糸挿入筒３のＡ−Ａ線断面図である。
【図２８】  本発明の第６施形態に係る根かかり取り器具を釣り人２００が道糸０１を道糸挿入筒３に挿入させ竿先を上方に立て道糸に沿って根かかり部に向かっている状態を示した図である。
【図２９】  本発明の第６実施形態に係る根かかり取り器具を釣り人２００が根かかりした友鮎６を代用道糸１で寄せている状態を示した図である。
【図３０】  発明の第６施形態に係る根かかり取り器具で岩石に根かかりした友鮎６を代用道糸１で引き寄せている状態を説明する図である。
【図３１】  発明の第施形態に係る根かかり取り器具で岩石に根かかりしたルアー６´を代用道糸１で引き寄せている状態を説明する図である。
【図３２】  発明の第８施形態に係る根かかり取り器具で岩石に根かかりした金属ハリス糸０５を代用道糸１で引き寄せている状態を説明する図である。
【０００９】（第１実施形態）
本発明の第１実施形態から第８実施形態について説明する。以下の第１実施形態から第１１実施形態の説明において、同一の構成には同一の符号を付し、その説明を省略又は簡略する。
（根かかり取り器具１の構成）
本発明の第１実施形態から第８実施形態に係る根かかり取り器具の構成に基づいて説明する。【００１０】  第１実施形態
図１は、本発明の第１実施形態に係る根かかり取り器具左から見た斜視図である。
図に向かって右下から説明すると、根かかり取り器具は、代用道糸１から根かかり取り合い部２と連結して、根かかり取り合い部２は、道糸挿入筒３に挿入前に分岐され、片方は上下方向中央部の根かかり取り合い部孔中央３１挿入され、片方は下部から根かかり取り合い部孔下部３３挿入され、根かかり取り合い部２は、根かかり取り合い部孔上部３２と根かかり取り合い部孔下部３３にそれぞれ上下に分岐して抜けて、根かかり取り合い部からなるガイド５の挿入孔２１から根かかり取り合い部からなるガイド５と連動出来、根かかり取り合い部からなるガイド５は、道糸０１が道糸挿入筒３内に挿入される際は、道糸挿入筒３の筒内を適宜に移動が出来て道糸０１を安易に挿入でき、道糸０１は、道糸挿入口３４・３５・３６を通過し、道糸挿入筒内３に挿入できる、道糸挿入筒３には、後部の中部から下部に向かって内外に逆Ｖ字状の保持部４を備え、釣り人２００が、道糸挿入筒内３に道糸０１を挿入し、竿先を上方に立てると道糸０１に沿って道糸０１と強い道糸０２の継ぎ目を通過し、代用道糸１を引き寄せると保持部４が、道糸０１と強い道糸０２の継ぎ目００の先の強い道０２を保持連結し、道糸０１を代用し、代用道糸１で根かかりした友鮎・ルアー・フライ等の先に決めた所定の位置で切れるか、または、根かかりが外れて回収出来、または、根かかった釣り具が回収不可能時は、保持部カッター４αにし、強い糸０２を保持部カッター４αで保持し切断して道糸を回収する事が出来る事を説明する図である。【００１１】図２は、本発明の第１実施形態に係る道糸０１と強い道０２との継ぎ目００を左から見た透視斜視図である。
図右上から説明すると道糸０１から継ぎ目００で強い道糸０２と連結されている説明図である。【００１２】図３は、本発明の第１実施形態に係る根かかり取り合い部２を左から見た透視斜視図である。
図に向かって右下から説明すると代用道糸１から根かかり取り合い部２と連結し道糸挿入筒３に根かかり取り合い部２は、上下方向中部からと下部から挿入して上下に分岐して根かかり取り合い部からなるガイド５の挿入孔２１から根かかり取り合い部からなるガイド５と連携した事を説明した図である。また根かかり取り合い部２は、道糸挿入筒３に直接所定の位置を決めて接続してもよい。【００１３】図４は、本発明の第１実施形態根かかり取り器具を左から見た斜視図である。
図に向かって右下から説明すると、根かかり取り器具は、代用道糸１から根かかり取り合い部２と連結して、根かかり取り合い部２は、道糸挿入筒３に挿入前に分岐され、片方は上下方向中央部の根かかり取り合い部孔中央３１挿入され、片方は下部から根かかり取り合い部孔下部３３挿入され、根かかり取り合い部２は、根かかり取り合い部孔上部３２と根かかり取り合い部孔下部３３にそれぞれ上下に分岐して抜けて、根かかり取り合い部からなるガイド５の挿入孔２１から根かかり取り合い部からなるガイド５と連動出来、根かかり取り合い部からなるガイド５は、道糸０１が道糸挿入筒３内に挿入される際は、道糸挿入筒３の筒内を適宜に移動が出来て道糸０１を安易に挿入でき、道糸０１は、道糸挿入口３４・３５・３６を通過し、道糸挿入筒内３に挿入できる、道糸挿入筒３には、後部の中部から下部に向かって内外に逆Ｖ字状の保持部４を備え、釣り人２００が、道糸挿入筒内３に道糸０１を挿入し、竿先を上方に立てると道糸０１に沿って道糸０１と強い道糸０２の継ぎ目を通過し、代用道糸１を引き寄せると保持部４が、道糸０１と強い道糸０２の継ぎ目００の先の強い道０２を保持連結し、道糸０１を代用し、代用道糸１で根かかりした友鮎・ルアー・フライ等の先に決めた所定の位置で切れるか、または、根かかりが外れて回収出来、または、根かかった釣り具が回収不可能時は、保持部カッター４αにし、強い糸０２を保持部カッター４αで保持し切断して道糸を回収する事が出来る事を説明する図である。【００１４】図５は、本発明の第１実施形態根かかり取り器具を前から見た図である。
図に向かって向中央に根かかり取り合い部孔中央３１があり、図に向かって左側に道糸挿入口上部３４道糸挿入口下部中央３５道糸挿入口下部３６の道糸０１挿入口があり、断面図の断面方向を表示した図である。【００１５】図６は、本発明の第１実施形態根かかり取り器具を後から見た図である。
図に向かって中央から下部に内外を貫通した逆Ｖ字状の保持部４がある図であり、保持部４は、道糸０１と強い道糸０２の継ぎ目００の先の強い道０２を保持連結し、根かかりした友鮎・ルアー・フライ等の先に決めた所定の位置で切れるか、または、根かかりが外れて回収出来、または、根かかった釣り具が回収不可能時は、保持部カッター４αにし、保持する強い糸０２を保持部カッター４αで保持し切断して道糸を回収する。  保持部４を説明した図である。【００１６】図７は、本発明の第１実施形態根かかり取り器具を右から見た図である。
図に向かって左上下方向中央に根かかり取り合い部孔中央３１があり、右側は、道糸挿入筒３右側面のみが見える図である。【００１７】図８は、本発明の第１実施形態根かかり取り器具を左から見た図である。
図に向かって右から説明すると、右端に上下方向中央に根かかり取り合い部孔中央３１があり、左によって道糸挿入口上部３４道糸挿入口下部３６の道糸０１の挿入口がある「また、道糸０１挿入口は左右どちらでも良い」事を示した図である。【００１８】図９は、本発明の第１実施形態根かかり取り器具を上から見た図である。
図の下方から説明すると中央に上下貫通した根かかり取り合い部孔上部３２があり、図に向かって左に道糸０１を挿入する道糸挿入口上部３４が道糸挿入筒外側３８から道糸挿入筒内側３７に向かって切り込んでいるのを説明する図である。【００１９】図１０は、本発明の第１実施形態根かかり取り器具を下から見た図である。
図に向かって下から説明すると、中央に道糸挿入筒外側３８から道糸挿入筒内側３７に向かって保持部４があり、上部中央に道糸挿入筒内側３７から道糸挿入筒外側３８に向かって道糸挿入口下部３６があり、上部中央に根かかり取り合い部孔後部３３ある事を説明した図である。【００２０】図１１は、本発明の第１実施形態根かかり取り器具のＡ−Ａ線断面図である。
図に向かって右から説明する、上下方向の中央に根かかり取り合い部挿入孔３１があり、根かかり取り合い部挿入孔の上部と下部の３２・３３があり、道糸０１が挿入する口が上下方向に３４・３６があり、道糸挿入筒内側３７があり、左下には、保持部４があるのを説明した図である。【００２１】  （第２実施形態）
図１２は、本発明の第２施形態に係る根かかり取り器具を釣り人２００が道糸０１に根かかり取り器具の道糸０１を道糸挿入筒３に挿入させ竿先を上方に立て道糸０１に沿って根かかり部に向かっている状態を示した図である。
図に向かって右から説明すると釣り人２００が釣り竿１００と代用道糸１を左右の手でそれぞれを持ち道糸０１を道糸挿入筒３に挿入させ道糸０１に沿って根かかりした位置に根かかり器具が向かっている様子を示した図である。【００２２】図１３は、本発明の第２施形態に係る根かかり取り器具を釣り人２００が根かかりした友鮎６を代用道糸１で寄せている状態を示した図である。
図に向かって右から説明すると、釣り人２００が、釣り竿１００と代用道糸１を左右の手でそれぞれを持ち道糸挿入筒３が、道糸０１と強い道糸０２の継ぎ目００を通過して、代用道糸１を引き寄せ道糸０１と強い道糸０２の継ぎ目００の先の強い道糸２を保持連結し、代用道糸１で引き寄せ先に決めた所定の位置で切れるか、または、根かかりが外れて回収しようとした状態を示す図である。【００２４】図１４は、本発明の第２実施形態について友鮎６が岩石８に根かかりした詳細に説明図である。
図に向かって上から説明すると、代用道糸１が根かかり取り合い部２と連結して道糸挿入筒３と連携して、道糸０１と強い道糸０２の継ぎ目００の先の強い道糸０２を保持連結し、保持連結した強い道糸０２は、友鮎鼻かん連結部０００と上下可能な移動式、または、固定連結される、上下可能な移動式の友鮎鼻かん連結部０００の使用時の根かかり切断部は、逆さ針〜３本針糸０４を切れる様にし、強い道糸０２よりも引張強度の弱い糸にする、または、友鮎鼻かん連結部０００を固定連結した際の切断部は、友鮎鼻かん連結部０００と鼻かん〜逆さ針糸０３で切れる様にし、強い道糸０２よりも引張強度の弱い糸にする、適宜な位置で切れる事を説明する詳細な図である。
（第３実施形態）
図１５は、本発明の第３実施形態についてルアー６´が岩石８に根かかりした詳細に説明図である。
図に向かって上から説明すると、代用道糸１が根かかり取り合い部２と連結して道糸挿入筒３と連携して、道糸０１と強い道糸０２の継ぎ目００の先の強い道糸０２を保持連結し、保持連結した強い道糸０２は、ルアー６´と自在に連結し、ルアー６´に備えた後部のルアー３本イカリ針７´が岩石に根かかりした時の切れる位置は、ルアー取り合いから３本イカリ糸０４´にし、ルアー取り合いから３本イカリ糸０４´は、保持連結した強い道糸０２よりも引張強度の弱い糸にする、ルアー取り合いから３本イカリ糸０４´で切れる事を説明する詳細な図である。【００２６】（第４実施形態）
図１６は、本発明の第４実施形態について金属ハリス糸０５が岩石８に根かかりした状態を詳細に説明した図である。
図に向かって上から説明すると、代用道糸１が根かかり取り合い部２と連結して道糸挿入筒３と連携して、道糸０１と強い道糸０２の継ぎ目００の先の強い道糸０２を保持連結し、保持連結した強い道糸０２は、上下可能なおもり９を貫通して金属ハリス糸０５と連結し、金属ハリス糸０５の端部のルアー３本イカリ針７´が根かかりし、回収不能状態時は、保持部４αカッターにし、保持している強い道糸０２を保持部カッター４αで保持し切断する事で道糸０１を回収出来る事を詳細に説明する図である。【００２７】（第５実施形態）
図１７は、本発明の第５実施形態に係る根かかり取り器具左から見た斜視図である。
図に向かって右下から説明すると、根かかり取り器具は、代用道糸１から根かかり取り合い部２と連結して、根かかり取り合い部２は、道糸挿入筒３に挿入前に分岐され、片方は上下方向中央部の根かかり取り合い部孔中央３１挿入され、片方は下部から根かかり取り合い部孔下部３３挿入され、根かかり取り合い部２は、根かかり取り合い部孔上部３２と根かかり取り合い部孔下部３３にそれぞれ上下に分岐して抜けて、根かかり取り合い部からなるガイド５の挿入孔２１から根かかり取り合い部からなるガイド５と連動出来、根かかり取り合い部からなるガイド５は、道糸０１が道糸挿入筒３内に挿入される際は、道糸挿入筒３の筒内を適宜に移動が出来て道糸０１を安易に挿入でき、道糸０１は、道糸挿入口３４・３５・３６を通過し、道糸挿入筒内３に挿入できる、道糸挿入筒３には、後部の中部から下部に向かって内外に逆Ｖ字状の保持部４を備え、釣り人２００が、道糸挿入筒内３に道糸０１を挿入し、竿先を上方に立てると道糸０１に沿って道糸０１と強い道糸０２の継ぎ目を通過し、代用道糸１を引き寄せると保持部４が、道糸０１と強い道糸０２の継ぎ目００の先の強い道０２を保持連結し、道糸０１を代用し、代用道糸１で根かかりした友鮎・ルアー・フライ等の先に決めた所定の位置で切れるか、または、根かかりが外れて回収出来、または、根かかった釣り具が回収不可能時は、保持部カッター４αにし、強い糸０２を保持部カッター４αで保持し切断して道糸を回収する事が出来る事を説明する図である。【００２８】図１８は、本発明の第５実施形態に係る道糸０１と強い道０２との継ぎ目００を左から見た透視斜視図である。
図右上から説明すると道糸０１から継ぎ目００で強い道糸０２と連結されている説明図である。【００２９】図１９は、本発明の第７実施形態に係る根かかり取り合い部２を左から見た透視斜視図である。
図に向かって右下から説明すると、代用道糸１から根かかり取り合い部２と連結し道糸挿入筒３に根かかり取り合い部２は、上下方向中部からと下部から挿入して上下に分岐して根かかり取り合い部からなるガイド５の挿入孔２１から根かかり取り合い部からなるガイド５と連携した事を説明した図である。また根かかり取り合い部２は、道糸挿入筒３に直接所定の位置を決めて接続してもよい。【００３０】図２０は、本発明の第５実施形態根かかり取り器具を左から見た斜視図である。
図に向かって右下から説明すると、根かかり取り器具は、代用道糸１から根かかり取り合い部２と連結して、根かかり取り合い部２は、道糸挿入筒３に挿入前に分岐され、片方は上下方向中央部の根かかり取り合い部孔中央３１挿入され、片方は下部から根かかり取り合い部孔下部３３挿入され、根かかり取り合い部２は、根かかり取り合い部孔上部３２と根かかり取り合い部孔下部３３にそれぞれ上下に分岐して抜けて、根かかり取り合い部からなるガイド５の挿入孔２１から根かかり取り合い部からなるガイド５と連動出来、根かかり取り合い部からなるガイド５は、道糸０１が道糸挿入筒３内に挿入される際は、道糸挿入筒３の筒内を適宜に移動が出来て道糸０１を安易に挿入でき、道糸０１は、道糸挿入口３４・３５・３６を通過し、道糸挿入筒内３に挿入できる、道糸挿入筒３には、後部の中部から下部に向かって内外に逆Ｖ字状の保持部４を備え、釣り人２００が、道糸挿入筒内３に道糸０１を挿入し、竿先を上方に立てると道糸０１に沿って道糸０１と強い道糸０２の継ぎ目を通過し、代用道糸１を引き寄せると保持部４が、道糸０１と強い道糸０２の継ぎ目００の先の強い道０２を保持連結し、道糸０１を代用し、代用道糸１で根かかりした友鮎・ルアー・フライ等の先に決めた所定の位置で切れるか、または、根かかりが外れて回収出来、または、根かかった釣り具が回収不可能時は、保持部カッター４αにし、強い糸０２を保持部カッター４αで保持し切断して道糸を回収する事が出来る事を説明する図である。【００３１】図２１は、本発明の第５実施形態根かかり取り器具を上から見た図である。
図に向かって上から説明する、上部中央に保持部４の突起部があり、下部に保持部ヒンジ４´があり、「前記保持部ヒンジ４´は、固定でも良い」下部に左右方向に保持部４があり、「前記保持部は、複数の逆Ｖ字型でもよく、また、錐体筒状の物でも良い」下部に道糸挿入口上部３４が下方に切断され、下部に中央に根かかり取り合い部孔上部３２があり、断面図の断面方向を表示した図である。【００３２】図２２は、本発明の第５実施形態根かかり取り器具を下から見た図である。
図に向かって上から説明する、上部中央に保持部４の突起部があり、下部に保持部ヒンジ４´があり、「前記保持部ヒンジ４´は、固定でも良い」下部に左右方向に保持部４があり、「前記保持部は、複数の逆Ｖ字型でもよく、また、錐体筒状の物でも良い」下部に道糸挿入口下部３６が前部から道糸挿入筒内３に切断され、下部に中央に根かかり取り合い部孔下部３３がある事を説明した図である。【００３３】図２３は、本発明の第５実施形態根かかり取り器具を右から見た図である。
図に向かって右は上部に保持部４の突起部があり、ほかは、道糸挿入筒３の外形右側面のみが見え事を説明した図である。【００３４】図２４は、本発明の第７実施形態根かかり取り器具を左から見た図である。
図に向かって下部に右から左方向に道糸挿入口上部３４道糸挿入口下部中央３５道糸挿入口下部３６を説明する図である。【００３５】図２５は、本発明の第５実施形態根かかり取り器具を後から見た図である。
図に向かって上部から説明すると、上部の中央に保持部４の突起部があるのを説明した図である。【００３６】図２６は、本発明の第５実施形態根かかり取り器具を前から見た図である。
図に向かって右から説明すると、中央より右寄りに上下方向に道糸挿入口上部３４道糸挿入口下部中央３５道糸挿入口下部３６があり、中央に根かかり取り合い部孔中央３１があるのを説明した図である。【００３７】図２７は、本発明の第５実施形態根かかり取り器具のＡ−Ａ線断面図である。
図に向かって上から説明する、上部に保持部４の突起部があり、下部に保持部４取り付けビス２９が上下にあり、道糸挿入筒内側３７内に保持部ヒンジ４´「前記保持部ヒンジ４´は、固定でもよい」下部に保持部４がある「前記保持部４は、複数の逆Ｖ字の形状で良い、また、錐体筒形状でも良い」下部に右から道糸挿入口上部３４道糸挿入口下部３６があり、下部に右から根かかり取り合い部孔上部３２根かかり取り合い部孔下部３３がある事を説明した図である。【００３８】  （第６施形態）
図２８は、本発明の第６施形態に係る根かかり取り器具を釣り人２００が道糸０１に根かかり取り器具の道糸０１を道糸挿入筒３に挿入させ竿先を上方に立て道糸０１に沿って根かかり部に向かっている状態を示した図である。
図に向かって右から説明すると釣り人２００が釣り竿１００と代用道糸１を左右の手でそれぞれを持ち道糸０１を道糸挿入筒３に挿入させて根かかり部に道糸挿入筒３が向かっている様子を示した図である。【００３９】図２９は、本発明の第６施形態に係る根かかり取り器具を釣り人２００が根かかりした友鮎６を代用道糸１で寄せている状態を示した図である。
図に向かって右から説明すると釣り人２００が釣り竿１００と代用道糸１を左右の手でそれぞれを持ち根かかり器具が道糸０１と強い道糸０２の継ぎ目００を通過し、代用道糸１を引き寄せ道糸０１と強い道糸０２の継ぎ目００の先の強い道糸２を保持連結し、代用道糸１で引き寄せ先に決めた所定の位置で切れるか、または、根かかりが外れて回収しようとした状態を示す図である。【００４０】図３０は、本発明の第６実施形態について友鮎６が岩石８に根かかりした詳細に説明図である。
図に向かって上から説明すると、代用道糸１が根かかり取り合い部２と連結して道糸挿入筒３と連携して、道糸０１と強い道糸０２の継ぎ目００の先の強い道糸０２を保持連結し、保持連結した強い道糸０２は、友鮎鼻かん連結部０００と上下可能な移動式または、固定連結される、上下可能な移動式の友鮎鼻かん連結部０００の使用時の根かかり切断部は、逆さ針〜３本針糸０４を切れる様にし、強い道糸０２よりも引張強度の弱い糸にする、または、友鮎鼻かん連結部０００を固定連結した際の切断部は、友鮎鼻かん連結部０００と鼻かん〜逆さ針糸０３で切れる様にし、強い道糸０２よりも引張強度の弱い糸にする、適宜な位置で切れる事を説明する詳細な図である。【００４１】（第７実施形態）
図３１は、本発明の第７実施形態についてルアー６´が岩石８に根かかりした詳細に説明図である。
図に向かって上から説明すると、代用道糸１が根かかり取り合い部２と連結して道糸挿入筒３と連携して、道糸０１と強い道糸０２の継ぎ目００の先の強い道糸０２を保持連結し、保持連結した強い道糸０２は、ルアー６´と自在に連結し、ルアー６´に備えた後部のルアー３本イカリ針７´が岩石に根かかりした時の切れる位置は、ルアー取り合いから３本イカリ糸０４´にし、ルアー取り合いから３本イカリ糸０４´は、強い道糸０２よりも引張強度の弱い糸にする、ルアー取り合いから３本イカリ糸０４´で切れる事を説明する詳細な図である。【００４２】（第８実施形態）
図３２は、本発明の第８実施形態について金属ハリス糸０５が岩石８に根かかりした状態を詳細に説明した図である。
図に向かって上から説明すると、代用道糸１が根かかり取り合い部２と連結して道糸挿入筒３と連携して、道糸０１と強い道糸０２の継ぎ目００の先の強い道糸０２を保持連結し、保持連結した強い道糸０２は、上下可能なおもり９を貫通して金属ハリス糸０５と連結している、金属ハリス糸０５の端部のルアー３本イカリ針７´が根かかりし、回収不能状態時は、保持部カッター４αにして、保持している強い道糸０２を保持部カッター４αで保持し切断して、道糸０１を回収出来る事を説明した詳細な図である。【００４３】本発明の第１実施形態から第８実施形態に係る根かかり取り器具は、ナイロン、カーボン、チタン、樹脂、アルミ、鉄、ステン、合金、複合版、木製、合成布等の適宜な材料で形成することが出来るまた、前記実施形態に係る根かかり取り器具における各部材同士の取り付け、溶接、接着剤、ボルトナット、ネジ、ビス等の適宜な材料を介して行うことが出来る。【００４４】なお、本発明の第１実施形態から第８実施形態に限定されるものでなく、本発明の目的を達成できる範囲での変形、改良等は本発明に含まれるものである。【００４５】本発明の第１実施形態から第８実施形態に係る根かかり取り器具を使用する状態を説明のとおり根かかりした友鮎・根かかったルアー・根かかかった釣り糸・根かかかったサビキ・根かかかった状態で遠方・水深に根かかかった他使用している道糸・ワイヤー他等にも使用が可能である。
【符号の説明】
【００４６】０００  友鮎鼻かん連結部
００    道糸と強い道糸の継ぎ目
０１    道糸
０２    強い道糸
０３    鼻かん〜逆さ針糸
０４    逆さ針〜３本針糸
０４´  ルアー取り合いから３本イカリ糸
０５    金属ハリス糸
１    代用道糸
２    根かかり取り合い部
２１    根かかり取り合い部からなるガイド５の挿入孔
３    道糸挿入筒
３１    根かかり取り合い部孔中央
３２    根かかり取り合い部孔上部
３３    根かかり取り合い部孔下部
３４    道糸挿入口上部
３５    道糸挿入口下部中央
３６    道糸挿入口下部
３７    道糸挿入筒内側
３８    道糸挿入筒外側
３９    保持部４取り付けビス
４    保持部
４α  保持部カッター
４´  保持部ヒンジ
５    根かかり取り合い部からなるガイド
６    友鮎
６´  ルアー
７    友鮎３本イカリ針
７´  ルアー３本イカリ針
８    岩石
９    上下移動おもり
１００  釣竿
２００  釣り人
【図１】
2018161128.tif 000003
【図２】
2018161128.tif 000004
【図３】
2018161128.tif 000005
【図４】
2018161128.tif 000006
【図５】
2018161128.tif 000007
【図６】
2018161128.tif 000008
【図７】
2018161128.tif 000009
【図８】
2018161128.tif 000010
【図９】
2018161128.tif 000011
【図１０】
2018161128.tif 000012
【図１１】
2018161128.tif 000013
【図１２】
2018161128.tif 000014
【図１３】
2018161128.tif 000015
【図１４】
2018161128.tif 000016
【図１５】
2018161128.tif 000017
【図１６】
2018161128.tif 000018
【図１７】
2018161128.tif 000019
【図１８】
2018161128.tif 000020
【図１９】
2018161128.tif 000021
【図２０】
2018161128.tif 000022
【図２１】
2018161128.tif 000023
【図２２】
2018161128.tif 000024
【図２３】
2018161128.tif 000025
【図２４】
2018161128.tif 000026
【図２５】
2018161128.tif 000027
【図２６】
2018161128.tif 000028
【図２７】
2018161128.tif 000029
【図２８】
2018161128.tif 000030
【図２９】
2018161128.tif 000031
【図３０】
2018161128.tif 000032
【図３１】
2018161128.tif 000033
【図３２】
2018161128.tif 000034